(57)【要約】      （修正有）【課題】直接打ち止め固定していたことに起因した使い捨て的破損頻度を大幅に改善することが出来、一現場だけに留まらず何度でも使用可能なブルーシート（養生シート）を提供する。【解決手段】養生用シートを固定するためのシート固定金具本体１は、固定金具装置として取り回しが良く合理性のある長さ９００ミリとした。養生シートを固定するために用いる土台の桟木の上に被覆敷設した養生シートを覆い、この養生シートの上に、シート固定金具本体１、固定金具内装の板バネ２、固定ネジ金具３からなる養生シートを固定するための金具装置を被せて一体的に用いて、養生用シートと桟木土台とを固定するネジ部で締め固定する構成とした。【選択図】図１
2015218569.tif 000002
【特許請求の範囲】
【請求項１】
建物等の建設工事現場において屋外の屋根部・屋上部・壁面部及びベランダ部などの工事を行う際、桟木・釘・ビス・ホッチキスなどで直接ブルーシートなど養生用シートに打ち止めて固定していた。
現場の養生を必要とする作業面にあわせて、ブルーシートなど養生用シートの端を互いに重ね合わせて桟木などで打ち止めて固定する。
そのために、ブルーシートなど養生用シートの固定した止め部から穴が空き、そこから雨水が入り養生を必要としていた部屋等に漏れる。また、ブルーシートなど養生用シートの止め部分に風などの外的力が加わりシートを固定している部分に過度の負荷が掛かることとなって裂けたり破れるなど、養生用シートに求められている養生・防水の目的を果たせないという問題があった。
同時に、ブルーシートなど養生用シートは、一月を超える長期の現場などでは前述のような破損劣化がおきやすいので目的の用を果たせなくなる毎に新たに張り替えないとならなくなることが間々あり、一度使用したブルーシートなど養生用シートは二度、三度と継続使用することが出来ないため建設系廃棄物乃至は産業廃棄物というゴミとして捨てるしかなく、実質的にブルーシートなど養生用シートは使い捨て消耗品資材となっている。
このブルーシートなど養生用シートが、目的通りに養生・防水の役割を果たすことが出来ると同時に、一回切りの使い捨てでなく継続的な使用に耐えることが出来れば、作業の合理性はもとより産業廃棄物ゴミの排出軽減や削減することとなり、結果、消耗経費の軽減・削減のコスト管理にも寄与出来る。
【請求項２】
今回の発案は、請求項１で指摘した問題点を解消出来るブルーシートなど養生用シートを固定するための金具装置である。
この固定金具装置は、ブルーシートなど養生用シートを覆い張る屋外の屋根部・屋上部・壁面部及びベランダ部などの必要な部位に、桟木３５ミリ角を養生用シートの端・上・下、又は、養生用シートの四方に、養生シートを覆い被るための土台として木ビスなどで固定する。
この土台となった桟木の上にブルーシートなど養生用シートを覆い敷置いて、その養生シートに固定金具装置を被せて使用する。
自重や風などの外的要因で養生用シートがズレ落ちたり、風で煽られて飛び剥がれないように固定金具装置の固定用ネジ部分を六角レンチで回し締め固定する。
桟木は基本、真っ直ぐではないため、養生用シートの被覆敷設を必要とする屋外の屋根部・屋上部・壁面部及びベランダ部などで使用する発案の固定金具装置の長さは、扱いやすく使用部位での降雨水排路の確保などを考慮しその利便性から９００ミリとする。
特に陸屋根（屋上部分）での養生用シート被覆にあたっては、降雨水が桟木３５ミリ角を越えると漏水する可能性があるので勾配を付ける様にすると共に、桟木本体と桟木本体の間に間隔を十分設けて降雨水排水路をしっかり確保するようにする。
【請求項３】
この養生用シートを固定するための金具装置を使用することで、ブルーシートなど養生用シートに穴が空いたり破れたりすることが飛躍的になくなり、何度も継続的に使用出来るようになります。
従来、それほど大きな現場でなくとも、一軒家クラスの建物で作業する場合（市販されているブルーシートのサイズは３．６ｍ×５．４ｍ）で２０枚程度は必要です。
この市販のブルーシートでも１枚７００円程度。専用の養生シートになりますともっと高価な養生用シートもあり、現場経費の面からも節減に寄与出来る発明発案品となります。
添付図面の通り、この固定金具装置自体は長さ９００ミリと扱いやすい小型装置ですから、被覆敷設した養生シートの固定作業・取り外し作業時の取り回しや脱着も容易です。
固定金具装置を現場で必要なだけの数を使っても、装置そのものが軽量コンパクトで手ごろな価格で提供出来る形状となり、このブルーシートなど養生用シートを固定するための金具装置を使用することで、現場で必要な作業が終了するまで安心して養生用シートがその役割を果たすことが出来ることとなります。
つまり、この固定金具装置は、設計構造、材質等が簡単・軽量なため提供価格も安価となり、この発明の本来目的である建設現場でのコスト管理上の経費節減、そして使い捨てのゴミである産業廃棄物の排出削減にも十分寄与できるものとなります。
【発明の詳細な説明】
【技術分野】
【０００１】この発明は、建築等の構築物建設工事現場等において作業を行う際に、作業現場や作業部分の雨水染み込み等の原因となる風水害を凌ぐと共に、その雨水の漏水防止にブルーシートなどの養生用シートを用いて屋外の屋根部・屋上部・壁面部及びベランダ部など必要部分に被覆敷設して養生するが、その養生用シートを固定するための金具装置の形状に関するものである。
【背景技術】
【０００２】従来、養生用シートは建物の完成までの工事期間内、大工等の工事作業を行う等で雨水の吹き込みや染み込みを防止することが求められるが、その際その目的の用途を満たすためのものとしてブルーシートなど養生用シートが利用されている。しかし、養生用シートの固定にあたってはそのシートそのものを垂木端切れや桟木を用いて直接養生用シートに釘などで打ち付けて使用している。
この場合、ブルーシートなど養生用シートの耐久力が不足するため一寸した強風や降水量の多い雨などの際、養生用シートが釘などの打ち付け部やシート同士を固定するロープ紐などの結び目から破れたり裂けたりして、工事作業面のやり直しなどを含め色々と工事進捗に支障が出ることがあると共に、直ぐに破れたり裂けたりして用を足さなくなるので頻繁に養生用シートを新たに取り替えなければならなかった。
そのため、建設進捗スケジュールに支障が出ることがあり、計画外の費用が発生しコスト管理の上でも負担があった。
【発明の概要】
【発明が解決しようとする課題】
【０００３】この発明は、建設工事や大工工事などで養生が必要な場所部位にブルーシートなどの養生用シートを被覆敷設させ固定する際に、従来のように、被覆敷設し固定する部分の養生用シートに垂木の切れ端や桟木や釘などで直接養生用シートに打ち付けて固定するのではなく、屋上や壁面など養生用シートで被覆敷設する部分の土台部分の桟木に養生用シートを覆い、その桟木と覆った養生シートを固定するための金具装置で止めることを目的とした金具装置を提供することを課題とする。
【課題を解決するための手段】
【０００４】  以上の課題を解決するために、本発明は、土台部分の桟木の上に被覆敷設された養生用シートを土台部分の桟木と一緒に固定する固定金具装置外装部分、その固定金具装置外装が土台部分の桟木と養生用シートをしっかり覆ってホールドし固定する板バネ部分及びその桟木土台部分と養生用シートとの隙間部分を締め付け固定する押さえネジ部の三点から構成された固定装置金具を設けたことを特徴とする養生用シートを固定するための金具装置。
【発明の効果】
【０００５】  この発明に拠って、一つは、ブルーシートなど養生用シートを被覆敷設する際にシート面に直接釘を打ち止めるなどしていた部分から穴が空いたり破れたりして、その部位から漏水するなどで工事部位に被害が起こり、やり直し修復するなどで予定外のコストが掛かるなどしていたが、この固定するための金具装置を使用することで工事進捗を計画通り行うことが出来るとともに現場経費のコスト高を防ぎ節減に寄与出来るようになる。【０００６】  同時に、この発明に拠って、ブルーシートなど養生用シートが短時日の使い捨てのゴミ、いわゆる建設系産業廃棄物となっていたがこの固定金具装置を用いることでブルーシートなど養生用シートを使い捨てから飛躍的に継続使用出来る資材としてエコに貢献出来るようになる。
【発明を実施するための最良の形態】
【０００７】  この発明の一実施形態を、図１（固定するための金具装置の外観全体図）、図２（固定するための金具装置の正面断面詳細図）、図３（固定するための金具装置の側面詳細図）、図４（固定するための金具装置内面の板バネ正面断面図）、図５（固定するための金具装置内面の板バネ部分側面図）に示す。
養生用シートを固定するための金具装置は、図１の外観全体図面のとおり、▲１▼シート固定金具外装本体（固定金具本体）、▲２▼固定金具内装の板バネ金具、▲３▼桟木に被覆敷設した養生用シートがズレたり抜け落ちたりさせないため、板バネ部分が養生用シートと土台の桟木とをしっかり締め付ける固定ネジ金具の三つの部品で構成される。【０００８】  養生用シートをズレ落ちないように固定用金具装置で止める際の土台となる桟木は、その用途や形状からいって桟木の全長が真っ直ぐなものではないため、固定のための金具装置本体の長さが長すぎると結果的に土台の桟木と養生用シートを固定させるための金具装置本体が密着固定させる目的を果たせなくなる。
故に、この固定するための金具装置本体の長さは固定金具装置として取り回しが良く合理性のある９００ミリとした。【０００９】  養生シートを固定するために用いる土台の桟木の上に被覆敷設した養生用シートを覆い、その上に、▲１▼▲２▼▲３▼三つの構成部分から成る養生用シートを固定するための金具装置を被せ、この３点の部品を一体的に用いて養生用シートと桟木土台とを固定するネジ部で締め固定する。【００１０】「実施形態の効果」
この実施形態によれば、ブルーシートなど養生用シートに直接垂木切れ端や桟木などを使って釘などで打ち止めることがなく、また、風雨など外的力が加わったり自重からその部分に穴が空いたり裂けたり破れたりすることも飛躍的に無くなるとともに、従来の養生用シートの止め方では一回切りの使い捨てと成らざるを得なかった状況から、この固定金具装置を用いることで養生用シートが何度も継続的に使用出来ることとなる。このことによる工事進捗の円滑化効果並びにコスト管理上の経費節減効果、そして産業廃棄物の排出削減効果に資するという三点での期待が出来る。
【図面の簡単な説明】
【００１１】
【図１】この発明の実施形態を示す固定金具外観全体図である。
【図２】この発明の実施形態を示す固定金物装置正面部断面図である。
【図３】この発明の実施形態を示す固定金具装置側面図である。
【図４】固定金具装置の内面に取り付けられる板バネの正面部断面図
【図５】固定金具装置の内面に取り付けられる板バネの側面図である。
【図１】
2015218569.tif 000003
【図２】
2015218569.tif 000004
【図３】
2015218569.tif 000005
【図４】
2015218569.tif 000006
【図５】
2015218569.tif 000007